(57)【要約】      （修正有）【課題】カレンダー用紙裏面のメモ用紙としての利用を容易に行えるようにし、カレンダーの使用勝手を向上させ、その有用性、実用性を高める。【解決手段】カレンダー用紙全面に碁盤の目状にミシン目を入れて、使用が終わった後は、カレンダー用紙を多数の紙に容易に切り離すことができるようにする。カレンダー用紙の裏面には全面に渡ってメモ用紙としての使い勝手を考慮した印刷し、これにより切り離された紙の裏面を実際のメモ用紙として実用的に使用できるものとする。さらに切り取って組み立て可能な立体物の展開図をつけた厚紙から成る専用紙を、カレンダー本体の表紙に付属させ、切り離された多数のメモ用紙を入れる収納用メモホルダーとして使用できるようにする実用性に優れたカレンダーである。【選択図】図５
0003119694.tif 000002
【実用新案登録請求の範囲】
【請求項１】
カレンダー用紙全面に碁盤の目状にミシン目を入れて、カレンダーとしての使用が終わった後は、カレンダー用紙をメモ用紙として適正なサイズの多数の紙に容易に切り離すことができ、カレンダー用紙の裏面に印刷されているメモ用紙としての使い勝手を考慮した印刷を利用し、実際のメモ用紙として実用的に使用できるものとし、さらに切り取って組み立て可能な立体物の展開図をつけた厚紙から成る専用紙をカレンダー本体の表紙もしくは裏表紙として付属させ、カレンダーとしての使用後にミシン目に沿って切り離されてバラバラの状態になった多数のメモ用紙を、展開図を組み立てて完成する立体物である収納用メモホルダーに収納し使用できるようにするカレンダー。
【考案の詳細な説明】
【技術分野】
【０００１】本考案は収納用メモホルダーを有し、カレンダーとしての使用後に、メモ用紙として利用できるカレンダーに関するものである。
【背景技術】
【０００２】一般に、カレンダーはそれぞれ一か月分、または複数か月分の日付表示が設けられている複数枚のカレンダー用紙が綴じ合わされており、カレンダー用紙は、カレンダーとしての使用が終わった後は、順次、綴じ合わせ部分より切り取られてゴミとして捨てられていた。また、そういった使用を前提とした性格上、一般にカレンダーは紙の表面（紙の片面）で用途が成立するようにカレンダー表示及び図版印刷が成され、裏面は印刷がされていない。そのためゴミとして即座に捨てるにはもったいないと考える使用者によっては、カレンダー用紙の裏面を子供のお絵かき用に利用したり、使用に適した大きさにはさみやカッター等で切り分けたりして、メモ用紙換わりにしていた。
【考案の開示】
【考案が解決しようとする課題】
【０００３】一般に、本来カレンダーが担う機能や用途は、紙の表面（紙の片面）で成立しているため、カレンダー用紙の裏面は白紙の場合が多く、その利用価値は高いにもかかわらず、カレンダー用紙の裏面には有効利用できる機能が持たされていない。カレンダーとしての使用後、適度な大きさにはさみやカッター等で切り分けて、メモ用紙換わりにする利用は、その作業に要する時間的、労働的負担も大きい。さらには、切り分けたメモ用紙が分散し、実際の使用における使い勝手においては保管や整理、使用が困難になり易い。そこで本考案は、上記事情に鑑み、カレンダー用紙裏面のメモ用紙としての利用を容易に行えるようにすることを課題とし、カレンダーの使用勝手を向上させ、その有用性、実用性を高めることを目的とする。
【課題を解決するための手段】
【０００４】カレンダー用紙全面に、カレンダーとしての使用後、メモ用紙として使用できる適正なサイズに切り離せるように碁盤の目状にミシン目を入れることで、切り離しの容易さを可能とさせ、裏面を多数のメモ用紙として利用できるものとする。また、あらかじめカレンダー用紙裏面には罫線や破線等、実際にメモ用紙として使用する際に考えられる使い勝手を考慮した印刷をし、メモ用紙としての実用性を提供する。さらに、展開図に沿って切り取り、組み立てることで収納用メモホルダーとして使用できる、厚紙から成る専用紙を、カレンダー本体の表紙もしくは裏表紙として付属させ、カレンダーとしての使用後にミシン目に沿って切り離されてバラバラの状態になった多数のメモ用紙を収納できるようにすることで、上記課題を解決したものである。
【考案の効果】
【０００５】上述の様に、本考案によれば、カレンダーが本来担う機能や用途を損なうことなく、カレンダーとしての使用後、カレンダー用紙を碁盤の目状のミシン目に沿って簡単に多数に切り離すことができ、さらに、あらかじめカレンダー用紙裏面に施されたメモ用紙として使用する場合に考えられる罫線等の使い勝手を考慮した印刷を利用することで、それぞれの裏面を、実際のメモ用紙として実用的に使用できる。さらにカレンダー本体に付属させた、厚紙から成る表紙もしくは裏表紙にある展開図を切り取り、収納用メモホルダーを組み立てることで切り離された多数のメモ用紙を収める事が可能となり、メモ用紙の保管や整理に役立ち、実際の使用が容易となる。【０００６】本考案は、一般にカレンダーが担う機能や用途からは見逃されていたカレンダー用紙裏面の有用性、実用性に着目し、カレンダー用紙裏面にメモ用紙機能をもたせ、実用度を高めたものであり、昨今話題となっている環境問題の観点からは、紙資源の有効利用に貢献する側面を持つ。
【考案を実施するための最良の形態】
【０００７】カレンダー本体に厚紙から成る表紙を付属させ、そこに切り取って立体物として組み立てることで実際に使用可能となる、収納用メモホルダーの展開図をつける。本体である実際のカレンダーの使用にあたっては表紙そのものは不要となるため、表紙は一般的なカレンダー用紙同様、本体の綴じ合わせ部分のミシン目により、本体から容易に切り離せるものとする。収納用メモホルダーの展開図は、展開図の縁に沿って表紙である厚紙から切り取りができ、容易に分離が可能なものとする。表紙から分離した展開図部分は、印刷されている線に沿って組み立てることで立体物としての収納用メモホルダーとして完成するが、組み立てやすさを考慮し、主要な折り目上にあらかじめすじ押し等の紙加工をしておく。本体であるカレンダー用紙は、カレンダーとしての使用後、本体の綴じ合わせ部分のミシン目より本体より切り離した後、さらにメモ用紙として使用する適正なサイズに切り離せるように全面に渡って碁盤の目状にミシン目を入れ、ミシン目に沿って簡単に多数に切り離すことができるものとする。ミシン目に沿って切り離し実際に裏面をメモ用紙として使用する際の使い勝手と実用性を考慮し、カレンダー用紙裏面には罫線を全面に印刷する。
【実施例】
【０００８】以下、添付図面に従って一実施例を説明する。本考案は、カレンダーとしての使用後、カレンダー用紙の裏側を多数のメモ用紙として使用できるカレンダーであり、実際の使用にあたっての利便性を考慮した収納用メモホルダーが付属するものである。これを一か月分の日付表示が設けられている複数枚のカレンダー用紙を一端で綴じ合わせたカレンダーの例を通して説明する。【０００９】図１は表紙を含めた正面図である。厚紙から成るカレンダー表紙１には収納用メモホルダーの展開図２を印刷する。厚紙から成る表紙から切り取りができ、容易に分離が可能なものとするために収納用メモホルダーの展開図の縁に沿って切り込み３が設けられている。さらに収納用メモホルダーの展開図には、組み立てやすさを考慮した紙加工として、主要な折り目上にすじ押し４がある。なお、この収納用メモホルダーは表紙から分離させて組み立てることで立体物として使用でき、完成した収納用メモホルダー１１となる。図２は表紙を含めて複数枚から成るカレンダー全体の構成図である。上部には表紙を含む複数枚のカレンダー用紙の綴じ合わせ部分５がある。この部分で全用紙をしっかり綴じ合わせておくことで全体が一体となり、止め具６により壁のフック等に固定することができる。カレンダー本体から表紙及びカレンダー用紙を切り取るためのミシン目が綴じ合わせ部分ミシン目７である。ここより実際のカレンダーとしての使用にあたっては表紙を、カレンダーとしての使用が終わった後はカレンダー用紙を、順次、切り取ることが可能である。図３はカレンダー用紙正面図である。ここでは実際の使用にあたりすでに表紙が切り取られている図を示す。カレンダー用紙には全面に渡って碁盤の目状に設けられたミシン目８がある。これは全てのカレンダー用紙に関して同様である。図４はカレンダー用紙裏面の図である。カレンダー用紙の裏面の全面に渡って罫線が印刷されている。これは全カレンダー用紙の裏面にも同様に印刷する。なお、ここではカレンダーとしての使用が終わった後を想定し、すでにカレンダー本体からは綴じ合わせ部分ミシン目７より切り取られたカレンダー用紙の裏面の図を示した。図５はカレンダー用紙をミシン目に沿って切り離す行為を示す図である。碁盤の目状に入ったミシン目により容易に、かつメモ用紙として使用できる適正なサイズに多数の紙１０を切り離すことが可能となる。図６はカレンダー用紙から切り離した多数の紙１０のうち一枚の裏面の拡大図である。その裏面には使い勝手と実用性を考慮した罫線があり、メモ用紙として使用することが可能である。図７は収納用メモホルダーにメモ用紙を収納する図である。完成した収納用メモホルダー１１に図６で示したメモ用紙を収納して使用する。
【図面の簡単な説明】
【００１０】
【図１】表紙を含めた正面図である。
【図２】カレンダー全体の構成図である。
【図３】カレンダー用紙正面図である。
【図４】カレンダー用紙裏面の図である。
【図５】カレンダー用紙をミシン目に沿って切り離す行為を示す図である。
【図６】切り離した多数の紙のうち一枚の裏面の拡大図である。
【図７】収納用メモホルダーにメモ用紙を収納する図である。
【符号の説明】
【００１１】１  カレンダー表紙
２  収納用メモホルダーの展開図
３  切り込み
４  すじ押し
５  綴じ合わせ部分
６  止め具
７  綴じ合わせ部分ミシン目
８  ミシン目
９  罫線
１０  多数の紙
１１  完成した収納用メモホルダー
【図１】
0003119694.tif 000003
【図２】
0003119694.tif 000004
【図３】
0003119694.tif 000005
【図４】
0003119694.tif 000006
【図５】
0003119694.tif 000007
【図６】
0003119694.tif 000008
【図７】
0003119694.tif 000009